(57)【要約】【課題】  装置内に雨水等が浸入しても送受信子用基板が濡れることが無く、組み立てが容易な防犯検知ユニットを提供する。【解決手段】  送信子および受信子（６ａ）（６ｂ）が装着された送受信子用基板（４）を間にして片側のユニットボディとその反対側のユニットボディ同士が組み合わされてユニット本体（１）が構成されてなる防犯検知ユニットにおいて、送受信子用基板（４）の外周側面部とユニット本体（１）内壁とに排水用隙間を設け、ユニット本体（１）底部には水抜き穴（５ｂ）が設けられているとする。【選択図】図１
2005275466.tif 000002
【特許請求の範囲】
【請求項１】
送信子および受信子が装着された送受信子用基板を間にして片側のユニットボディとその反対側のユニットボディ同士が組み合わされてユニット本体が構成されてなる防犯検知ユニットにおいて、送受信子用基板の外周側面部とユニット本体内壁とに排水用隙間を設け、ユニット本体底部には水抜き穴が設けられていることを特徴とする防犯検知ユニット。
【請求項２】
片側のユニットボディの内側には基板押付用ボスが設けられており、この基板押付用ボスと、その反対側のユニットボディに設けられた基板固定用ボスとの間に送受信子用基板が挟み込まれて固定されていることを特徴とする請求項１に記載の防犯検知ユニット。
【請求項３】
基板固定用ボスの先端部後方には段差部が設けられており、送受信子用基板に設けられた基板固定用穴にこの基板固定用ボスの先端部を挿入し、段差部にて送受信子用基板が位置決め固定されることを特徴とする請求項２に記載の防犯検知ユニット。
【請求項４】
基板押付用ボスと基板固定用ボスがビス固定されてユニットボディ同士が固定されていることを特徴とする請求項２または３に記載の防犯検知ユニット。
【発明の詳細な説明】
【技術分野】
【０００１】
この出願の発明は、外構フェンス等に取り付けて侵入者を検知する赤外防犯装置に有用な、送信子および受信子を内蔵した送受信一体構成の防犯検知ユニットに関するものである。
【背景技術】
【０００２】
従来、ビームセンサとしての送信子および受信子を対向配置させ、それらの間で赤外線の送受を行い、赤外線が侵入者により遮られた際にこれを検知する赤外防犯装置が知られている。
【０００３】
この赤外防犯装置は、たとえば、住宅等の建物に配設された外構フェンスに取り付け、外構フェンスを侵入者が乗り越える等して赤外線を遮った際に報知や威嚇を行うフェンス防犯装置として利用できると考えられる。このような赤外防犯装置は屋外で使用され、赤外防犯装置内に雨水等が浸入した場合には、送信子および受信子を装着した送受信子用基板が水で濡れてしまい故障や誤作動の原因になるという問題があった。そこで、従来では、赤外防犯装置の外郭ケースを二重構造にしたり、ケース接合面にシール材、パッキン材等を付与してシールする等、様々な工夫が提案されている。また、赤外防犯装置内に雨水等が浸入した場合でも、赤外防犯装置底部に水抜き穴を設けることで、赤外防犯装置内に水が溜まることがなくなり、故障や誤作動を防止することができる赤外防犯装置（たとえば特許文献１，２参照）が提案されている。
【特許文献１】特開２００１−１４５６９号公報
【特許文献２】特開２００３−２９６８３０号公報
【発明の開示】
【発明が解決しようとする課題】
【０００４】
しかしながら、ケースを二重構造とする場合には、外寸が大きくなるために意匠性が悪く、ケースを２個必要とするためコストが高くなるという問題があった。また、シール材やパッキン材等を付与してシールする場合には、シール性能を管理することが困難であり、部品点数が増加し、組み立てに手間がかかるなどの問題があった。また、赤外防犯装置底部に水抜き穴を設けた場合でも、赤外防犯装置内に水が浸入滞留しているため、送受信子用基板が水で濡れてしまう可能性があった。
【０００５】
この出願の発明は、以上の通りの背景から、赤外防犯装置内に雨水等が浸入しても送受信子用基板が濡れることが無く、組み立てが容易な防犯検知ユニットを提供することを課題としている。
【課題を解決するための手段】
【０００６】
この出願の発明は、上記の課題を解決するものとして、第１には、送信子および受信子が装着された送受信子用基板を間にして片側のユニットボディとその反対側のユニットボディ同士が組み合わされてユニット本体が構成されてなる防犯検知ユニットにおいて、送受信子用基板の外周側面部とユニット本体内壁とに排水用隙間を設け、ユニット本体底部には水抜き穴が設けられていることを特徴とする防犯検知ユニットを提供する。
【０００７】
第２には、片側のユニットボディの内側には基板押付用ボスが設けられており、この基板押付用ボスと、その反対側のユニットボディに設けられた基板固定用ボスとの間に送受信子用基板が挟み込まれて固定されていることを特徴とする防犯検知ユニットを提供する。
【０００８】
第３には、基板固定用ボスの先端部後方には段差部が設けられており、送受信子用基板に設けられた基板固定用穴にこの基板固定用ボスの先端部を挿入し、段差部にて送受信子用基板が位置決め固定されることを特徴とする防犯検知ユニットを提供する。
【０００９】
第４には、基板押付用ボスと基板固定用ボスがビス固定されてユニットボディ同士が固定されていることを特徴とする防犯検知ユニットを提供する。
【発明の効果】
【００１０】
この出願の第１の発明によれば、ユニット本体内に雨水等が浸入しても、ユニット本体内壁を伝わる水で送受信子用基板が濡れることなく、ユニット本体外に水を排出し、送受信子用基板を保護することができる。
【００１１】
第２の発明によれば、上記第１の発明の効果とともに、送受信子用基板の外周側面部とユニット本体内壁が接触することなく、送受信子用基板を固定することができる。
【００１２】
第３の発明によれば、上記第２の発明の効果とともに、専用の基板固定構造を必要とせずに送受信子用基板に基板固定用穴を設けることで、送受信子用基板の組み立ておよび固定を一層容易ならしめることができる。
【００１３】
第４の発明によれば、上記第２、第３の発明の効果とともに、専用のユニットボディ固定構造を必要とせずにユニットボディ同士を固定することができる。
【発明を実施するための最良の形態】
【００１４】
この出願の発明は、上記のとおりの特徴をもつものであるが、以下、さらに詳しく発明の実施の形態について説明する。
【００１５】
図１〜図３は、この出願の発明の一実施形態について説明するための分解斜視図、要部正面図および要部拡大断面図である。
【００１６】
本実施形態は、これら図１〜図３に例示したように、防犯検知ユニットの片側にて上下２段にビームセンサ部としての送信部を設け、その反対側にて上下２段にビームセンサ部としての受信部を設けた、いわゆるダブルビーム方式の送受信子背中合わせ一体構成の防犯検知ユニットを例示したものであって、送信側ユニットボディ（２）および受信側ユニットボディ（３）によりユニット本体（１）が構成され、当該ユニット本体（１）内にて送信側ユニットボディ（２）および受信側ユニットボディ（３）との間に位置して送受信子用基板（４）が内蔵されている。送信側ユニットボディ（２）および受信側ユニットボディ（３）は、送信部カバーおよび受信部カバーとしての役割をも担っている。
【００１７】
これにおいて、まず、送信部を構成する送信子（図示なし）やその回路（図示なし）等、受信部を構成する受信子（６ａ）（６ｂ）やその回路（図示なし）等は、ユニット本体（１）内にて上下に延びた長板状の一枚の送受信子用基板（４）の表裏面に、それぞれ対応する送信側および受信側の位置ならびに上下２段の位置にて装着されている。なお、送信子、受信子（６ａ）（６ｂ）については、赤外線の発光、赤外線の受光が可能となる素子であればよい。
【００１８】
この送受信子用基板（４）の外形は、送受信子用基板（４）の外周側面部とユニット本体（１）内壁とに排水用隙間（５ａ）ができるような形状とし、さらにユニット本体（１）底部には水抜き穴（５ｂ）が設けられている。この排水用隙間（５ａ）はユニット本体（１）内壁に対して一様に設けられており、円滑に排水できるように隙間量を３ｍｍ程度にするのが最適である。
【００１９】
以上とおりのユニット本体（１）においては、たとえば図２に例示したように、ユニット本体（１）のシール劣化等によりユニット本体（１）内に雨水等が浸入し、ユニット本体（１）内壁面に水が伝わってきても、送受信子用基板（４）と接触滞留することなく排出して、ユニット本体（１）底部の水抜き穴（５ｂ）から排水されることになる。なお、隙間量は、内壁を伝う水滴が送受信子用基板（４）に接触滞留しなければこれに限定されることはない。
【００２０】
この送受信子用基板（４）は、その両側から送信側ユニットボディ（２）および受信側ユニットボディ（３）により挟持されるようにユニット本体（１）に収められる。このとき、受信側ユニットボディ（３）の内側に基板押付用ボス（３１）が突出して設けられており、この基板押付用ボス（３１）と対向する位置に、送信側ユニットボディ（２）の内側から基板固定用ボス（２１）が突出して設けられている。この基板押付用ボス（３１）が基板固定用ボス（２１）に対して送受信子用基板（４）を押付けることになり、送受信子用基板（４）が固定されることになる。なお、基板押付用ボス（３１）および基板固定用ボス（２１）は、送受信子用基板（４）を固定でき、送受信子用基板（４）上の送信子や受信子（６ａ）（６ｂ）やその回路と接触しないような位置に適宜に設けることができる。
【００２１】
また、図３に例示したように、基板固定用ボス（２１）の先端部（２１１）後方に段差部（２１２）を設けるとともに、送受信子用基板（４）に基板固定用穴（４１）を設けて、この基板固定用穴（４１）に基板固定用ボス（２１）の先端部（２１１）を挿入し、先端部（２１１）後方に設けられた段差部（２１２）が送受信子用基板（４）に当接するようにすることによって、段差部（２１２）にて送受信子用基板（４）が位置決め固定されるようにしてもよい。なお、基板固定用穴（４１）の大きさは、基板押付用ボス（３１）より小さく、段差部（２１２）が通らないような大きさが考慮される。また、基板固定用ボス（２１）の段差部（２１２）の設定位置は、段差部（２１２）が送受信子用基板（４）と当接した際の基板固定用ボス（２１）の先端部（２１１）表面が送受信子用基板（４）に対して面一または低くなるように、基板固定用ボス（２１）の先端部（２１１）後方に設けられることが考慮される。
【００２２】
上記のように、段差部（２１２）にて、送受信子用基板（４）が位置決め固定されることによって、送受信子用基板（４）専用の位置決めのための複雑な構造を送信側ユニットボディ（２）や受信側ユニットボディ（３）に別途形成する必要がない。
【００２３】
また、基板押付用ボス（３１）は中空構造とし、固定ビスを受信側ユニットボディ（３）の外側から基板押付用ボス（３１）内のビス挿通口（３１１）を挿通して、送信側ユニットボディ（２）の基板固定用ボス（２１）内のビス下穴（２１３）にねじ込むことで、、送受信子用基板（４）を送信側ユニットボディ（２）および受信側ユニットボディ（３）とビス固定させてもよい。これによって、送受信子用基板（４）が基板押付用ボス（３１）と基板固定用ボス（２１）の間に固定されるばかりか、ユニットボディ同士が接合固定されることになり、ユニット本体（１）接合のためのビス止め構造を送信側ユニットボディ（２）や受信側ユニットボディ（３）に別途形成する必要がなくなる。
【００２４】
このように組み立てられた防犯検知ユニットは、送受信子用基板（４）を固定させるための基板押付用ボス（３１）と基板固定用ボス（２１）が、ユニット本体（１）接合のためのビス止め構造としても機能されるため、部品点数が少なく、簡易な組み立てが実現できる。
【００２５】
この出願の発明は以上の実施形態に限定されるものではなく、細部については様々な態様が可能であることは言うまでもない。たとえば、上記各実施形態では送信子および受信子（６ａ）（６ｂ）それぞれを上下２段設けたダブルビーム方式のものとしているが、上下３段以上のマルチビーム方式の場合にも適用できる。また、送信子および受信子（６ａ）（６ｂ）を背中合わせ配置としているが、片側のみに送信子および受信子（６ａ）（６ｂ）を上下に並べた配置とした場合にも適用できる。またさらに、検知報知子をも内蔵したユニットとしてもよい。
【図面の簡単な説明】
【００２６】
【図１】この出願の発明の一実施形態を示した分解斜視図である。
【図２】ユニットボディ内に浸入した水の流れを説明するための要部正面図である。
【図３】組み立て後の状態を示した要部拡大断面図である。
【符号の説明】
【００２７】
１  ユニット本体
２  送信側ユニットボディ
２１  基板固定用ボス
２１１  先端部
２１２  段差部
２１３  ビス下穴
３  受信側ユットボディ
３１  基板押付用ボス
３１１  ビス挿通口
４  送受信子用基板
４１  基板固定用穴
５ａ  排水用隙間
５ｂ  水抜き穴
６ａ，６ｂ  受信子
【図１】
2005275466.tif 000003
【図２】
2005275466.tif 000004
【図３】
2005275466.tif 000005